(57)【要約】【課題】  無効操作に現われるユーザの要求を活かすことのできるＡＶ装置を提供することにある。【解決手段】  オーディオ信号又はビデオ信号の処理を行うＡＶ装置１であって、装置１への指令操作を受け付ける複数の操作キーを有する操作入力部１０と、操作入力部１０からの操作入力を受けて装置の動作制御を行うＣＰＵ１１と、コンピュータネットワークに接続してデータ通信が可能な通信手段１３と、操作入力部１０からの操作入力のうち装置の動作制御に関係しない無効操作の入力回数をカウントする無効操作計数手段（１１，１５）と、カウントされた無効操作の入力回数を外部のサーバコンピュータに送信する無効操作回数送信手段（１１，１３）とを備えている。【選択図】        図１
2006115223.tif 000002
【特許請求の範囲】
【請求項１】
オーディオ信号又はビデオ信号の処理を行うＡＶ装置であって、
装置への指令操作を受け付ける複数の操作キーを有する操作入力部と、
前記操作入力部からの操作入力を受けて装置の動作制御を行う制御手段と、
コンピュータネットワークに接続してデータ通信が可能な通信手段と、
制御プログラムが格納される書換え可能な記憶手段と、
外部の装置から制御プログラムをダウンロードして前記記憶手段の制御プログラムを更新する制御プログラム更新手段と、
前記操作入力部からの操作入力のうち装置の動作制御に関係しない無効操作の入力回数をカウントする無効操作計数手段と、
前記無効操作計数手段によりカウントされた無効操作の入力回数を前記通信手段を介して外部へ送信する無効操作回数送信手段とを備え、
前記無効操作計数手段は、前記無効操作の種類を示す無効操作リストを有し、この無効操作リストに登録された種類の無効操作があった場合に、当該無効操作の入力回数をカウントするように構成され、
前記無効操作回数送信手段は、前記制御プログラム更新手段による制御プログラムの更新が行われる際に前記無効操作の入力回数を送信することを特徴とするＡＶ装置。
【請求項２】
オーディオ信号又はビデオ信号の処理を行うＡＶ装置であって、
装置への指令操作を受け付ける複数の操作キーを有する操作入力部と、
前記操作入力部からの操作入力を受けて装置の動作制御を行う制御手段と、
前記操作入力部からの操作入力のうち装置の動作制御に関係しない無効操作の入力回数をカウントする無効操作計数手段と、
を備えていることを特徴とするＡＶ装置。
【請求項３】
前記無効操作計数手段は、前記無効操作の種類を示す無効操作リストを有し、この無効操作リストに登録された種類の無効操作があった場合に、当該無効操作の入力回数をカウントするように構成されていることを特徴とする請求項２記載のＡＶ装置。
【請求項４】
コンピュータネットワークに接続してデータ通信が可能な通信手段と、
前記無効操作計数手段によりカウントされた無効操作の入力回数を前記通信手段を介して外部へ送信する無効操作回数送信手段と、
を備えていることを特徴とする請求項２又は３に記載のＡＶ装置。
【請求項５】
制御プログラムが格納される書換え可能な記憶手段と、
外部の装置から制御プログラムをダウンロードして前記記憶手段の制御プログラムを更新する制御プログラム更新手段とを備え、
前記無効操作回数送信手段は、前記制御プログラム更新手段による制御プログラムの更新が行われる際に前記無効操作の入力回数を送信することを特徴とする請求項４記載のＡＶ装置。
【請求項６】
前記操作入力部からの操作入力に基づく動作制御の内容を選択的に設定可能な設定手段を備え、
前記無効操作計数手段によりカウントされた無効操作の入力回数に基づいて前記設定手段の設定内容が変更されるように構成されていることを特徴とする請求項２又は３に記載のＡＶ装置。
【発明の詳細な説明】
【技術分野】
【０００１】
この発明は、オーディオ信号又はビデオ信号の処理を行うＡＶ装置に関し、ユーザのニーズに適応した装置の操作方法を開発するのに有用な技術に関する。
【背景技術】
【０００２】
一般に、ＡＶ機器や家電など各種の電子機器は、一定の操作に対して一定の動作を行うように構成されている。また、例えば、ＤＶＤレコーダなどビデオの録再機器では、再生中にはセットアップキーを押しても設定画面が表示されなかったり、録画中は再生ボタンや一時停止ボタンを押しても動作に影響しないなど、そのときの状態によって操作が受け付けられたり受け付けられなかったりする。
【０００３】
また、従来技術として、携帯電話の操作ガイドが示されたＷｅｂサイトのページのうちユーザが良くアクセスするページや、携帯電話の機能キーにユーザが割り当てた設定内容を外部のコンピュータで収集して、携帯電話の次期開発に役立てようとする技術（例えば特許文献１）や、電話機の操作履歴を端末側で記録させトラブル発生時にこの操作履歴の情報をサービスセンタに転送させることで電話機の操作支援に役立てようとする技術（例えば特許文献２）などが提案されている。
【特許文献１】特開２００２−２３７７８０号公報
【特許文献２】特開平０６−２７６２７１号公報
【発明の開示】
【発明が解決しようとする課題】
【０００４】
電子機器において、或る操作が受け付けられない状態において、この操作がユーザにより何度も繰り返された場合、この操作をこの状態において実行させたいというユーザの要求の現われと推測することが出来る。例えば、ＤＶＤの再生中にセットアップキーが何度も押されている場合、再生中でも機器のセットアップを実行したいという要求があると推測できる。
【０００５】
しかしながら、従来の電子機器においては、このように無効操作に表われるユーザの要求を活かそうとする試みは全くなされていなかった。
【０００６】
この発明の目的は、無効操作に現われたユーザの要求を活かすことのできるＡＶ装置を提供することにある。
【課題を解決するための手段】
【０００７】
本発明は、上記目的を達成するため、オーディオ信号又はビデオ信号の処理を行うＡＶ装置であって、装置への指令操作を受け付ける複数の操作キーを有する操作入力部と、前記操作入力部からの操作入力を受けて装置の動作制御を行う制御手段と、前記操作入力部からの操作入力のうち装置の動作制御に関係しない無効操作の入力回数をカウントする無効操作計数手段とを備えた構成とした。
【０００８】
このような手段によれば、無効操作計数手段により、どのような無効操作が多くなされているのか確認することができる。従って、それによりユーザが求めている操作方法や機能を追及して、次期製品の参考としたり、ファームウェア等のバージョンアップの参考とするなど、無効操作に現われるユーザの要求を活かすことが出来る。
【０００９】
望ましくは、前記無効操作計数手段は、前記無効操作の種類を示す無効操作リストを有し、この無効操作リストに登録された種類の無効操作があった場合に、当該無効操作の入力回数をカウントするように構成すると良い。
【００１０】
ユーザが行った無効操作の全てについて、その入力回数をカウントしていたのでは、あまり参考にならない無効操作のために記憶領域が無駄に使われてしまうという懸念がある。そこで上記の手段のように、予めカウントを行う無効操作のリストを設けておくことで、必要性の高い無効操作のカウントを少ない記憶領域で効率的に行うことが出来る。
【００１１】
さらに望ましくは、コンピュータネットワークに接続してデータ通信が可能な通信手段と、前記無効操作計数手段によりカウントされた無効操作の入力回数を前記通信手段を介して外部へ送信する無効操作回数送信手段とを備えていると良い。
【００１２】
このような構成によれば、例えば、インターネット等のコンピュータネットワークを介して、複数のユーザの装置から無効操作に係るデータを一括的に収集することが出来る。
【００１３】
さらに望ましくは、制御プログラムが格納される書換え可能な記憶手段と、外部の装置から制御プログラムをダウンロードして前記記憶手段の制御プログラムを更新する制御プログラム更新手段とを備え、前記無効操作回数送信手段は、前記制御プログラム更新手段による制御プログラムの更新が行われる際に前記無効操作の入力回数を送信するように構成すると良い。
【００１４】
このような構成によれば、外部に情報が送信される機会が限定されて、ユーザもいつ情報が送信されているのか認識しやすくなるので、ユーザに対して安心感を与えることが出来る。
【００１５】
また望ましくは、操作入力に基づく動作制御の内容を選択的に設定可能な設定手段を備え、前記無効操作計数手段によりカウントされた無効操作の入力回数に基づいて前記設定手段の設定内容が変更されるように構成すると良い。
【００１６】
このような手段によれば、各々のユーザが行う機器操作の特徴に応じて機器の操作方法が自動的に変更されるので、無効操作に表われるユーザの要望を速やかに機器の操作方法に反映させることが出来る。
【発明の効果】
【００１７】
以上説明したように、本発明に従うと、ユーザが行った無効操作の回数情報が記録されるので、この情報に基づいてユーザの機器の操作に関する隠れた要望を見出し、この要望をファームウェアのバージョンアップ、次期製品の開発、現在の装置の操作方式などに反映させることが出来るという効果がある。
【発明を実施するための最良の形態】
【００１８】
以下、本発明の実施の形態を図面に基づいて説明する。
［第１の実施の形態］
図１は、本発明の実施の形態のＡＶ装置の内部構成を示すブロック図、図２は、このＡＶ装置と無効操作情報を収集するサーバコンピュータとの接続例を示すシステム構成図である。
【００１９】
この実施の形態のＡＶ装置１は、例えば、記録型のＤＶＤ（デジタル多用途ディスク）に放送番組など映像コンテンツの録画をしたりその再生を行ったりするものである。このＡＶ装置１には、複数の入力キーを有しユーザから装置へ指令操作がなされるリモートコントローラ（以下、リモコンと呼ぶ）２０と、複数のキースイッチ１０ａやリモコン２０の受光部１０ｂを有しユーザから装置への指令操作を受け付けるキー入力部（操作入力部）１０と、装置を統括的に制御するＣＰＵ（Central Processing Unit）１１と、ＬＡＮ（Local Area Network）ポート１２を介してコンピュータネットワークに接続しデータの送受信を行う通信手段としてのネットワーク処理部１３と、ＣＰＵ１１に作業空間を提供するＲＡＭ（Random Access Memory）１４と、制御プログラムや各種データが格納される不揮発性で書換え可能な記憶手段であるフラッシュＲＯＭ１５と、放送信号から映像信号や音声信号を抽出したりアナログの映像信号や音声信号をデジタルデータに圧縮したりその逆に伸張したりＤＶＤにデータの読出しや書込みを行ったりするＡＶモジュール１７等を備えている。
【００２０】
これらの構成のうち、フラッシュＲＯＭ１５に格納された制御プログラムに基づくＣＰＵ１１のソフトウェア処理により、制御プログラム更新手段、無効操作計数手段、無効操作回数送信手段が構成される。
【００２１】
上記のように構成されたＡＶ装置１は、図２に示すように、例えば、家庭内ＬＡＮに接続することでインターネット５を介して外部のサーバコンピュータ７との間でデータ通信を行えるようになっている。すなわち、家庭内ＬＡＮに接続されたルータ３を介してインターネット５側との通信が行われる。特に制限されるものではないが、家庭内ＬＡＮには、その他のＡＶ機器（例えばデジタルチューナ４等）や、ＡＶ装置１とサーバコンピュータ７との通信を管理し仲介するローカルホスト２等が接続されていても良い。ローカルホスト２としては例えばセットトップボックス等を適用することが出来る。ローカルホスト２が通信の仲介・管理を行う場合には、ＡＶ装置１からローカルホスト２にデータが一旦送信され、その後、ローカルホスト２からサーバコンピュータ７へこのデータが転送されるように構成することが出来る。このようにローカルホスト２を用いることで、ＡＶ装置１の通信設定を簡略化することが出来る。
【００２２】
なお、ＡＶ装置１にローカルホスト２やルータ３の機能を統合して１台のＡＶ装置１Ａとし、これを直接インターネットに接続してサーバコンピュータ７との間でデータの送受信を行うように構成することも出来る。
【００２３】
サーバコンピュータ７は、例えばＡＶ装置１のメーカーが管理・運営するもので、ＡＶ装置１のファームウェアがアップロードされて各ユーザに配信したり、各ユーザのＡＶ装置１から無効操作の回数情報を収集したりするものである。
【００２４】
ＡＶ装置１では、ＣＰＵ１１がフラッシュＲＯＭ１５に格納された制御プログラムを実行しており、この制御プログラムに基づいて、ユーザがリモコン２０やキースイッチ１０ａを操作した場合に、そのときの装置の状態とその入力操作の種類に応じてＡＶモジュール１７等に所定の動作を行わせるようになっている。
【００２５】
例えば、スタンバイモードのときに電源ＯＮの操作が行われればＣＰＵ１１は各部にコマンドを送信して各部を起動させるし、また、ＤＶＤ駆動停止時に再生ボタンや録画ボタンが操作されればＣＰＵ１１はＡＶモジュール１７にコマンドを送信してＤＶＤの再生や現在放送されている映像コンテンツをＤＶＤに録画する処理を開始する。また、ＤＶＤ駆動停止時にチャンネルアップやチャンネルダウンのキーが操作されればＣＰＵ１１はＡＶモジュール１７のチューナにコマンドを送信して選択チャンネルを変更する処理を実行する。また、ＤＶＤ駆動停止時にセットアップキーの操作があればＣＰＵ１１はＡＶモジュール１７内のＯＳＤ（On  Screen Display）処理回路に文字コード等を送信して設定画面を表示させ、設定メニューに沿った装置の設定処理を開始する。
【００２６】
ここで、例えば、ＤＶＤの再生動作中にセットアップキーが操作された場合など、そのときの装置の状態と操作された入力キーの種類によっては、装置の動作制御に何ら反映されないものがある。このような操作のことを本明細書において無効操作と呼ぶ。
【００２７】
図３には、ＡＶ装置１のフラッシュＲＯＭ１５に格納される無効操作リストの一例を示す。
【００２８】
この実施の形態のＡＶ装置１では、上記のような無効操作のうち、予め指定されたものについて、その操作回数がカウントされてその計数値がフラッシュＲＯＭ１５に記録されるようになっている。また、フラッシュＲＯＭ１５には、操作回数のカウントを行う無効操作の種類が示された無効操作リスト（図３）が格納され、このリスト内の１つの項目に操作回数のデータが格納されるようになっている。
【００２９】
無効操作リストは、装置の種類を示す機種コードの項目、無効操作の種類を識別する識別コードの項目、操作時の装置の動作状態を示す機器状態の項目、操作キーを示すキー種類の項目、および、操作回数が記録される回数の項目から構成され、上記の機種コード、識別コード、機器状態、キー種類の各項目にそれぞれ値が設定され、ＣＰＵ１１は無効操作があった場合に、入力された無効操作がこの無効操作リストに登録されているものか検索し、登録されているものであれば、その回数をカウントしてその値を更新するようになっている。
【００３０】
また、所定のタイミングにおいて、これら無効操作の回数がＡＶ装置１からサーバコンピュータ７に送信されて収集されるようになっている。その際には、機種コード、識別コード、回数データがセットになって送信されるようになっている。送信データがこのようなデータセットであることにより、サーバコンピュータ７側ではそれぞれ複数の機種から無効操作の種類を識別可能な状態で回数データを収集することができる。
【００３１】
なお、無効操作リストに登録される無効操作の種類としては、特に制限されるものではないが、例えば、ＤＶＤ再生中のセットアップキーの操作（図３の識別コード「１」のデータ）、ＤＶＤ録画中の再生キーの操作（図３の識別コード「２」のデータ）、チューナの選択チャンネル切換中のチャンネルアップキーの操作（図３の識別コード「３」のデータ）等がある。これらの無効操作により、例えば、ＤＶＤ再生中に機器設定を行いたいとか、ＤＶＤ録画中にも追いかけ再生を行いたいとか、チャンネル切換をもっと高速に行いたいと云った、ユーザの要求があると推測することが出来る。
【００３２】
次に、図4と図5のフローチャートに基づいて、本実施の形態のＡＶ装置１による無効操作のログ収集とサーバへのデータ送信を行う処理について説明する。
【００３３】
図４は、ＡＶ装置１のＣＰＵ１１により実行される無効操作のログ収集とデータ送信に係るメイン処理の手順を示すフローチャートである。
【００３４】
図４のメイン処理は、ＣＰＵ１１により電源投入時から他の処理と並行して実行される処理である。この処理が開始されると、先ず、ステップＳ１において、後述する無効操作のログ収集のサブルーチン処理を行ってステップＳ２に移行する。ステップＳ２では、ユーザによりファームウェアのバージョンアップのスタート操作がされたか判別し、スタート操作がされていなければステップＳ１に戻るが、スタート操作がされたなら次のステップＳ３に移行する。
【００３５】
ステップＳ３では、フラッシュＲＯＭ１５に格納されている無効操作リストから、機種コードと識別コードと回数データとを収集して、このデータをサーバコンピュータ７に送信する。次いでステップＳ４において、フラッシュＲＯＭ１５の無効操作リストにおいて回数データをクリアする。
【００３６】
続いて、ステップＳ５において、新しいファームウェアをサーバコンピュータ７からダウンロードしてバージョンアップを実行する。そして、ステップＳ１に戻り、当該ステップから再びこのような処理を繰り返す。
【００３７】
図5は、図４のステップＳ１のログ収集サブルーチン処理の手順を示すフローチャートである。
【００３８】
図４のログ収集のサブルーチン処理（ステップＳ１）に移行されると、先ず、ステップＳ１１で、このログ収集処理の開始から所定時間（例えば０．２秒）経過したか判定し、経過していればこのログ収集処理を終了して図４のメイン処理に戻るが、経過していなければステップＳ１２に移行する。
【００３９】
ステップＳ１２では、リモコン２０やキー入力部１０のキースイッチ１０ａからキー入力があったか判別し、あればステップＳ１３へ移行するが、なければステップＳ１１に戻る。
【００４０】
その結果、キー入力があってステップＳ１３に移行した場合には、該ステップにおいて、現在の装置の状態および入力キーの種類と、無効操作リスト（図３参照）の登録データとを比較して、一致するものがあるか判別する。そして、一致するものがなければステップＳ１１に戻るが、一致するものがあれば、ステップＳ１４で無効操作リストの回数データに「１」加算し、ステップＳ１５でそれをフラッシュＲＯＭ１５の無効操作リストに格納する処理を行って、ステップＳ１１に戻る。
【００４１】
このようなメイン処理とログ収集処理により、ユーザが図３の無効操作リストに登録されている操作を行った場合に、その回数がカウントされこの回数データが無効操作リストに蓄積されていく。そして、ユーザが装置のファームウェアを更新するときに、サーバコンピュータ７に無効操作の回数データが送信されて、この回数データがサーバコンピュータ７側で集計されるようになっている。
【００４２】
以上のように、この実施の形態のＡＶ装置によれば、サーバコンピュータ７の側で、ユーザによりどのような無効操作が多くなされているのか確認することができ、それによりユーザが求めている操作方法や機能を推測して、次期製品を開発する上で参考としたり、次期ファームウェアを開発する上で参考とするなど、無効操作に表されたユーザの要求を活かすことができる。
【００４３】
また、カウントする無効操作の種類は、予めリストに登録しておくので、無秩序に無効操作をカウントするのに比べて、有益なデータを少ない記憶容量で効率的に収集することが出来る。
【００４４】
また、無効操作回数データの送信は、ファームウェアのバージョンアップの際に行われるので、ユーザはいつ情報が送信されているか認識しやすく、ユーザに安心感を与えることが出来る。
【００４５】
なお、本発明は、上記実施の形態に限られるものではなく、様々な変更が可能である。例えば、ＡＶ装置としてＤＶＤレコーダを例示したが、ＨＤＤ（ハードディスク）レコーダ、デジタルチューナ、デジタルテレビなど、種々のＡＶ装置に適用することが出来る。
【００４６】
また、回数をカウントする無効操作の種類を予めリストに登録しているが、登録をせずに全ての無効操作についてカウントを行うようにしても良い。また、上記実施の形態にてリストに登録されている無効操作の種類も一例に過ぎない。
【００４７】
また、無効操作回数をインターネット５を介してサーバコンピュータ７に送信するようにしているが、送信せずに機器内に蓄積だけしておく構成としても良く、その場合、例えば、装置の修理時やリサイクル回収時にそのデータを収集するようにして無効操作の情報を利用することも出来る。また、サーバコンピュータ７に送信するタイミングも、ファームウェアのバージョンアップ時のみでなく、種々のタイミングで行うようにすることも出来る。
［第２の実施の形態］
図６は、第２の実施の形態においてＡＶ装置のＣＰＵにより実行されるキー入力処理の手順を示すフローチャートである。
【００４８】
この実施の形態のＡＶ装置１は、第１の実施の形態にソフトウェア構成を１つ追加したものであり、その他の構成は同様のものである。追加したソフトウェア構成とは、特定の無効操作の回数をカウントするとともに、この無効操作の回数が一定以上となった場合に、装置の動作設定を自動的に変更すると云うものである。
【００４９】
詳細には、次の如くである。例えば、ＤＶＤの再生中に設定画面を呼び出して設定モードにしているときに、メカキー（即ちＰＬＡＹキー、ＳＴＯＰキー、ＳＫＩＰキー、ＦＦキー等）が押された場合、通常であればそれらは無効操作として処理され、装置動作に影響を与えない。しかしながら、この無効操作の回数が一定以上になった場合に、制御プログラムの設定を変えて、ＤＶＤ再生中に設定モードにされた場合でも、メカキーによる動作が行われるようにする。
【００５０】
このような機能を実現するために、この実施の形態のＡＶ装置１では、フラッシュＲＯＭ１５の制御プログラムに、設定モード中のメカキーを無効として扱う第１の処理フローと、設定モード中のメカキーを有効に扱う第２の処理フローとが予め用意され、或る設定データの一部を書き換えることで、ＣＰＵ１１が実行する処理フローが第１の処理フローから第２の処理フローに変更されるように構成されている。
【００５１】
さらに、何れかの操作キーが押された場合には、図６に示すキー入力処理を実行するように構成されている。このキー入力処理が開始されると、先ず、ステップＳ２１で装置の状態がＤＶＤ再生中且つ設定画面表示中（即ち設定モード中）か否か判別して、この状態でなければこのままキー入力処理を終了するが、この状態であれば次のステップＳ２２に移行する。
【００５２】
ステップＳ２２では、入力された操作キーがメカキーか否かを判別して、メカキーでなければこのままキー入力処理を終了するが、メカキーであれば次のステップＳ２３に移行する。
【００５３】
ステップＳ２３では、図３の無効操作リストを参照して、機器状態が"再生中且つ設定モード中"でキー種類が"メカキー"の無効操作リストの回数データを取得し、設定値（例えば１００回）を超えたか判別する。なお、無効操作リストの回数データは並行的に実行されている図５のログ収集処理により更新されている。
【００５４】
ステップＳ２３の判別処理の結果、設定値を超えていなければこのままキー入力処理を終了するが、設定値を超えていれば、制御プログラムの設定変更を行って、設定モード中のメカキーを有効に取り扱う上記第２の処理フローが実行されるようにする。そして、このキー入力処理を終了する。
【００５５】
以上のように、この実施の形態のＡＶ装置１によれば、ユーザが特定の無効操作を数多く行うことで、それに合わせて装置の操作方法が自動的に変更されるので、無効操作に表われるユーザの好みを速やかに装置の操作方法に反映させられるという効果がある。
【００５６】
なお、上記実施の形態では、再生動作で且つ設定モードのときにメカキーが多数押された場合の制御プログラムの設定変更の例を示したが、制御プログラムの設定変更を行う無効操作の種類や、制御プログラムの設定変更の内容は、種々のものを適用することが出来る。また、制御プログラムの設定を変更する方式も、図６のフロー処理により行う場合に限られず様々な方式で実行することが出来る。
【図面の簡単な説明】
【００５７】
【図１】本発明の実施の形態のＡＶ装置の内部構成を示すブロック図である。
【図２】本実施の形態のＡＶ装置と無効操作情報を収集するサーバコンピュータとの接続例を示すシステム構成図である。
【図３】ＡＶ装置のフラッシュＲＯＭに格納される無効操作リストの一例を示すデータチャートである。
【図４】ＡＶ装置のＣＰＵにより実行される無効操作のログ収集とデータ送信に係るメイン処理の手順を示すフローチャートである。
【図５】図４のステップＳ１のログ収集サブルーチン処理の手順を示すフローチャートである。
【図６】第２の実施の形態においてＡＶ装置のＣＰＵにより実行されるキー入力処理の手順を示すフローチャートである。
【符号の説明】
【００５８】
１      ＡＶ装置
５      インターネット
７      サーバコンピュータ
１０    キー入力部
１０ａ  キースイッチ
１０ｂ  赤外線受光部
１１    ＣＰＵ
１３    ネットワーク処理部
１５    フラッシュＲＯＭ
１７    ＡＶモジュール
２０    リモコン
【図１】
2006115223.tif 000003
【図２】
2006115223.tif 000004
【図３】
2006115223.tif 000005
【図４】
2006115223.tif 000006
【図５】
2006115223.tif 000007
【図６】
2006115223.tif 000008